(57)【要約】【課題】構造が簡単で、既存のドライバ及び電動ドライバー等の工具を利用して簡単な操作で使用可能であり、木造住宅の狭い床下や、足下の不安定な小屋裏等でもしかも測定精度の低下しない、木材等の内部の劣化程度を容易に調べることのできる携行型引抜試験器を実現する【解決手段】携行型引抜試験器１の複合型木ねじプローブ６は、駆動用ねじ部１４と、木ねじ部１５と、軸部１６とを備え、ねじ頭がドライバで回転されることで、複合型木ねじプローブ６が測定対象物である木材９にねじ込まれ、引抜用長ナット７が電動ドライバ１８で回転されることで、ねじ込まれた複合型木ねじプローブ６が引き抜かれ、引き抜かれる際に引抜用長ナット７がロードセル３に作用する荷重を測定することで、引き抜き抵抗を測定し対象物の劣化度合を検査可能とする。【選択図】図３
2010160077.tif 000002
【特許請求の範囲】
【請求項１】
測定対象物に当接する台座、台座上に設けられたロードセル、複合型木ねじプローブ及び引抜用長ナットを備えた携行型引抜試験器であって、
複合型木ねじプローブは、引抜用長ナットに螺合し基端にねじ頭を有する駆動用ねじ部と、先端の木ねじ部と、駆動用ねじ部と木ねじ部との間に伸びる軸部とを備え、前記台座及びロードセルを貫通するとともに、前記木ねじ部が測定対象物の表面に対向可能なように配置されており、
前記ねじ頭がドライバで回転されることで、複合型木ねじプローブが測定対象物にねじ込まれ、引抜用長ナットがドライバで回転されることで、ねじ込まれた複合型木ねじプローブが引き抜かれ、該引き抜かれる際に引抜用長ナットがロードセルに作用する荷重を測定することで、引き抜き抵抗を測定し対象物の劣化度合を検査可能とすることを特徴とする携行型引抜試験器。
【請求項２】
前記引抜用長ナットとロードセルの間には、ベアリングが設けられていることを特徴とする請求項１記載の携行型引抜試験器。
【請求項３】
前記ねじ頭及び引抜用長ナットは、それぞれソケットを付けた電動又は手動のドライバに係合可能であり、前記ねじ頭に係合可能なソケットの径より、前記引抜用長ナットに係合可能なソケットは、ソケットの径が大きいことを特徴とする請求項１又は２記載の携行型引抜試験器。
【請求項４】
前記複合型木ねじプローブには、ねじ込み深さ指示板が取り付けられており、台座にはねじ込み深さ指示板で指示する目盛が付されていることを特徴とする請求項１、２又は３記載の携行型引抜試験器。
【請求項５】
前記ロードセルには、ロードセルで検出される荷重を表示する表示計が接続されていることを特徴とする請求項１、２、３又は４記載の携行型引抜試験器。
【請求項６】
複合型木ねじプローブの木ねじ部に、対象物に固定されている木ねじに係合するアダプタを着脱可能に取り付けられる構成とすることで、対象物に固定されている木ねじの該対象物に対する固定強度の測定にも利用可能とすることを特徴とする請求項１、２、３、４又は５記載の携行型引抜試験器。
【発明の詳細な説明】
【技術分野】
【０００１】
本発明は、携行型引抜試験器に関し、ねじと一体化された木ねじ状のプローブを木材等中にねじ込んだ後、プローブの引き抜き抵抗（荷重）を測定することで、木材等の内部の劣化程度を調べることのできる携行型引抜試験器に関する。
【背景技術】
【０００２】
従来、木材等の内部の劣化程度を調べる手段として、木ねじ状のプローブの引き抜き抵抗を測定する構成が知られている。
【０００３】
この場合、１つの木材等３１の中に空けた測定用の先穴３２に対して、木材等３１の一番目の深さ位置での測定（図７（ａ）に示す浅い位置での測定）、二番目の深さでの測定（図７（ｂ）に示す深い位置での測定）等、木材等の中のさまざまな深さにおける木ねじ状のプローブ３３の引き抜き抵抗（「引き抜き強度」ともいう。）を測定することにより、木材等の断面内における引き抜き強度の分布を測定できる。
【０００４】
なお、図７（ｃ）〜（ｅ）は、木ねじ状のプローブ３３を木材等３１の測定用の先穴３２から引き抜いて測定する方法を模式的に説明する図である。図７（ｃ）は木材等３１の片側から引き抜いて測定する方法であり、図７（ｄ）は木材等３１の１ヶ所の測定用の先穴３２の両側から引き抜いて測定する方法であり、図７（ｅ）は木材等３１の２ヶ所の測定用の先穴３２の両側から引き抜いて測定する方法である。
【０００５】
図８（ａ）は、木材等３１の引き抜き強度の測定試験の測定ポイント（測定位置）を説明する図であり、図８（ｂ）は、木材等３１の２ヶ所の測定用の先穴３２から引き抜いて測定する方法（図７（ｅ）参照）によって行った引き抜き強度の測定試験の結果の測定強度分布を示す図である。ここで、縦軸は、引き抜き強度を測定した木材等３１の一直線上の測定のポイントの基点からの距離ｍｍを示し、横軸は引き抜き強度を示している。
【０００６】
図８（ｂ）において、アは木材等が健全の場合の分布であり、イは木材等が劣化した場合の分布である。このように木材等３１の複数の位置における引き抜き試験をして引き抜き強度の分布を作成することで、木材等３１の健全又は劣化の状態を検査することができる。
【０００７】
このような引抜試験に使用可能な機器としては、従来は、木材にねじ込まれたビスをレバー操作される油圧ポンプによって油圧を利用して引き抜き、その引抜力をものが知られている（特許文献１参照）。さらに、木材等にねじ込んだビスをトルクレンチで引き抜く際に加えられる検出トルク（引き抜き力）を表示する試験機（特許文献２参照）が用いられる。
【先行技術文献】
【特許文献】
【０００８】
【特許文献１】特開平１０−２６７９２２号公報
【特許文献２】特開２００５−２８３２９５号公報
【発明の開示】
【発明が解決しようとする課題】
【０００９】
このような引き抜き強度の分布を測定する用途に対して、従来の木ねじ状のプローブと、使用可能と考えられる従来の試験機には、以下に示す問題が存在した。
【００１０】
（１）上記特許文献１、２に示すような試験器、或いは引き抜き強度の分布を測定する用途に転用可能な仕上げ材や塗料の剥離試験等に用いる引抜試験器は、いずれも装置が複雑で上部の重量が大きく転倒しやすい。横向きや上向きに使用したり、片手で操作することも困難であった。特に、上記従来の装置は可搬型ではあるが、引き抜き強度の分布を測定する用途に対しては、木造住宅の狭い床下や、足下の不安定な小屋裏では、これらの既存の装置は、使用することが困難である。
【００１１】
（２）従来の試験機では、木ねじ状のプローブと引抜試験器がそれぞれ独立していたために、木ねじ状のプローブを木材等の中にねじ込んだ後に、引抜試験器を装着して、それから引き抜き抵抗を測定する必要があった。１つの測定位置（１つの穴）に対して、複数回（４〜８回）、木ねじ状のプローブのねじ込みと、引抜試験器の装着と、引き抜き抵抗の測定を繰り返し実施することは、極めて煩雑で効率が悪く、引抜試験器の引っ張り軸と木ねじ状プローブの軸が、各測定毎に微妙にずれるため、測定結果の精度が低下する原因にもなっていた。
【００１２】
本発明は、上記従来の問題点を解決することを目的とし、構造が簡単で、既存のドライバ及び電動ドライバ等の工具を利用して簡単な操作で使用可能であり、木造住宅の狭い床下や、足下の不安定な小屋裏等でもしかも測定精度の低下しない、木材等の内部の劣化程度を容易に調べることができる携行型引抜試験器を実現することを課題とする。
【課題を解決するための手段】
【００１３】
本発明は上記課題を解決するために、測定対象物に当接する台座、台座上に設けられたロードセル、複合型木ねじプローブ及び引抜用長ナットを備えた携行型引抜試験器であって、複合型木ねじプローブは、引抜用長ナットに螺合し基端にねじ頭を有する駆動用ねじ部と、先端の木ねじ部と、駆動用ねじ部と木ねじ部との間に伸びる軸部とを備え、前記台座及びロードセルを貫通するとともに、前記木ねじ部が測定対象物の表面に対向可能なように配置されており、前記ねじ頭がドライバで回転されることで、複合型木ねじプローブが測定対象物にねじ込まれ、引抜用長ナットがドライバで回転されることで、ねじ込まれた複合型木ねじプローブが引き抜かれ、該引き抜かれる際に引抜用長ナットがロードセルに作用する荷重を測定することで、引き抜き抵抗を測定し対象物の劣化度合を検査可能とすることを特徴とする携行型引抜試験器を提供する。
【００１４】
前記引抜用長ナットとロードセルの間には、ベアリングが設けられていることが好ましい。
【００１５】
前記ねじ頭及び引抜用長ナットは、それぞれソケットを付けた電動又は手動のドライバに係合可能であり、前記ねじ頭に係合可能なソケットの径より、前記引抜用長ナットに係合可能なソケットは、ソケットの径が大きい構成としてもよい。
【００１６】
前記複合型木ねじプローブには、ねじ込み深さ指示板が取り付けられており、台座にはねじ込み深さ指示板で指示する目盛が付されている構成とすることが好ましい。
【００１７】
前記ロードセルには、ロードセルで検出される荷重を表示する表示計が接続されている構成とすることが好ましい。
【００１８】
複合型木ねじプローブの木ねじ部に、対象物に固定されている木ねじに係合するアダプタを着脱可能に取り付けられる構成とすることで、対象物に固定されている木ねじの該対象物に対する固定強度の測定にも利用可能とする構成としてもよい。
【発明の効果】
【００１９】
本発明に係る携行型引抜試験器によれば、構造が簡単で、既存の電動ドライバー等の工具を利用できるので、木造住宅の狭い床下や、足下の不安定な小屋裏等でも簡単な操作で使用可能であり、しかも測定精度が低下することなく、木材等の内部の劣化程度を調べることのできる。
【図面の簡単な説明】
【００２０】
【図１】本発明の実施例の携行型引抜試験器の構成を説明する図である。
【図２】上記実施例の携行型引抜試験器の使用に際して、複合型木ねじプローブをねじ込む状態を説明する図であり、（ａ）は手動ドライバを利用し、（ｂ）は電動ドライバを利用した場合の図である。
【図３】上記実施例の携行型引抜試験器の使用に際して、（ａ）は複合型木ねじプローブを抜き取る状態を説明する図であり、（ｂ）は引抜用長ナットを戻している状態を説明する図である。
【図４】上記実施例の携行型引抜試験器の変形例を説明する図であり、（ａ）は全体構成を、（ｂ）、（ｃ）はそれぞれ要部を説明する図である。
【図５】上記実施例の携行型引抜試験器の要部を説明する図であり、（ａ）は複合型木ねじプローブの構成例を説明する平面図及び側面であり、（ｂ）はねじ込み深さ指示板及びその取り付け部の側面図を示し、（ｃ）はねじ込み深さ指示板の平面図である。
【図６】本発明の特徴的構成である引抜用長ナットの意義、効果を、通常の短ナットと比較して説明する模式図であり、（ａ）は短ナットを用いた場合、（ｂ）は本発明の引抜用長ナットを用いた場合を説明する図である。
【図７】技術背景、本発明の課題等を説明する図であり、（ａ）、（ｂ）は深さの異なる測定例を説明する図であり、（ｃ）〜（ｅ）は、木ねじ状のプローブを木材等から引き抜いて測定する異なる方法を模式的に説明する図である。
【図８】（ａ）は引き抜き強度の測定対象である木材等の測定ポイントを示す図であり、（ｂ）は引き抜き強度の分布を示す図である。
【発明を実施するための形態】
【００２１】
本発明に係る携行型引抜試験器を実施するための最良の形態を実施例に基づき図面を参照して、以下説明する。本発明に係る携行型引抜試験器では、測定対象物としては、木材の他、プラスチック等の部材でもよいが、以下の実施例では、木材を測定対象物として説明する。
【実施例】
【００２２】
本発明に係る携行型引抜試験器の実施例を図１〜６において説明する。図１は、本発明の実施例の携行型引抜試験器１を、使用に際して測定対象物である木材に当接（この実施例では載置して当接）した状態を示す図である。
【００２３】
携行型引抜試験器１は、台座２（本体フレーム）と、台座２上に載置されたロードセル３と、ロードセル３に接続されたアンプ表示計４と、ロードセル３上の載置されたスラストベアリング５（例．スラスト玉軸受）と、複合型木ねじプローブ６と、引抜用長ナット７と、ねじ込み深さ指示板８と、を備えている。
【００２４】
台座２は、全体として略門型に形成されており、測定対象物である木材９に当接する下面が平坦な脚部１０と、ロードセル３を載置する上面が平坦な頭部１１を備えている。頭部１１には、その中央部に、上下方向に貫通され、複合型木ねじプローブ６をその軸方向に移動可能に挿通する挿通孔１２が形成されている。また、脚部１０の正面には、複合型木ねじプローブ６について後記するねじ込み深さを指示する目盛１３が付されている。
【００２５】
ロードセル３は、例えば、荷重により生じるひずみをひずみゲージで検出してひずみから荷重の大きさを求めるゲージ式ロードセル等の通常市販されているものを使用すればよい。このロードセル３は、その上面に作用された荷重を検出し、検出信号をアンプ表示計４に出力するように構成されている。ロードセル３の中央部にも、複合型木ねじプローブ６をその軸方向に移動可能に挿通する挿通孔が形成されている。
【００２６】
スラストベアリング５は、ロードセル３と引抜用長ナット７の間に配置されている。引抜用長ナット７は、スラストベアリング５上に当接し、スラストベアリング５を介してロードセル３に対して、軸心を中心になめらかに回転することが可能である。スラストベアリング５の中央部にも、複合型木ねじプローブ６をその軸方向に移動可能に挿通する挿通孔が形成されている。
【００２７】
複合型木ねじプローブ６は、複合型木ねじプローブ６全体を軸方向に移動するために必要な駆動用ねじ部１４と、先端においてプローブとして機能する木ねじ部１５という、互いに全く異なる機能を奏する２つの部分が一体となって複合化している構造であるので、そのような名称とした。
【００２８】
具体的には、複合型木ねじプローブ６は、図５（ａ）に示すように、駆動用ねじ部１４、木ねじ部１５（木ねじプローブ）及び軸部１６が一体化されて構成されており、全体が鋼材等の金属、強化樹脂等の材料で形成されている。「木ねじ部１５」は、測定対象物である木材等にねじ込まれる部分を意味しており、材料自体が必ずしも「木」という意味ではない。
【００２９】
軸部１６は、駆動用ねじ部１４と駆動用ねじ部１４の間を結合するように伸びる軸部分である。複合型木ねじプローブ６の基端には、駆動用ねじ部１４のねじ頭が形成されている。詳細は後記するが、図５（ａ）は、ねじ頭の構造の異なる４つの複合型木ねじプローブ６の構成例を示している。                     
【００３０】
複合型木ねじプローブ６の木ねじ部１５は、木材の劣化程度を調べるためのプローブとして機能するものであり、複合型木ねじプローブ６のねじ込みによって木材にめり込み、引き抜き時に木材の部分を破壊することにより、引き抜き抵抗（引き抜き強度）を生み出す機能を有する。軸部１６は、木ねじ部１５より細くすることにより、木材に空けた測定用の先穴２４（図１〜３参照）との側面抵抗の発生を抑制する。
【００３１】
駆動用ねじ部１４は、木ねじ部１５を木材から引き抜くために、引抜用長ナット７が螺合して複合型木ねじプローブ６の駆動部を構成している。引抜用長ナット７は、ねじ孔１７が形成されており、このねじ孔１７が複合型木ねじプローブ６の駆動用ねじ部１４に螺合している。
【００３２】
引抜用長ナット７をその軸心を中心にして回転すると、引抜用長ナット７がその軸方向への移動が規制（拘束）されている場合は、駆動用ねじ部１４を相対的に軸方向に移動させる。引抜用長ナット７は、通常のナットとは異なり、軸方向に長い筒状であり、その外面は断面六角状に形成されており、図３（ａ）に示すように、電動ドライバ１８の先端部に取り付けた大径のソケット２１に係合するように形成されている。なお、本発明において引抜用長ナット７を軸方向に長いナットを用いた点の意義及び効果については後記する。
【００３３】
引抜用長ナット７が電動ドライバ１８で回転駆動されると、引抜用長ナット７は、スラストベアリング５及びロードセル３を介して台座２によってその軸方向の移動が規制されているから、駆動用ねじ部１４乃至複合型木ねじプローブ６全体を、測定対象物の木材９から引き抜き方向の動きに変換する。
【００３４】
この引抜用長ナット７が、スラストベアリング５及びロードセル３を介して台座２によってその軸方向の移動が規制されるので、引抜用長ナット７は、上記のように木ねじ部１５を引き抜く際に生じる引き抜き抵抗に応じた荷重（反力）をロードセル３に作用することとなる。
【００３５】
引抜用長ナット７は、上記のとおり軸方向に長い筒状に形成されているが、この点は、本発明において、きわめて特徴的な構成であり、次の（１）〜（３）に説明するとおり、きわめて大きな意義を有し、多大の効果を奏する。
【００３６】
（１）螺合部分の損傷を防ぐ
通常のナット（短ナット）では、駆動用ねじ部１４と螺合する螺合部分であるねじの長さが短いために、このねじが損傷しやすい。これに対して本発明の引抜用長ナット７は、駆動用ねじ部１４と螺合する螺合部分であるねじが十分に長いために、このねじの損傷が生じにくいという利点が得られる。
【００３７】
（２）手で回しやすい
後記する本発明の作用において説明するが、複合型木ねじプローブ６を最初にセットする場合に、台座２から下の複合型木ねじプローブ６の長さを調節する必要がある。この場合に、引抜用長ナット７を手で回すが、通常のナットよりも、軸方向に長い本発明の引抜用長ナット７にすることにより、格段に手で回しやすくなる。
【００３８】
（３）駆動用ねじ部１４のねじ頭２２と大径のソケット２１の接触を防ぐ     
電動ドライバ１８の大径のソケット２１を回して複合型木ねじプローブ６を引き抜く場合、同じ引抜のストロークでも、通常の短いナット７’（長さＬ１）を使用すると図６（ａ）に示すように、駆動用ねじ部１４の頂端（ねじ頭）が短いナット７’から突き出てしまい、大径のソケット２１の底までの距離が小さい（Ｓ１）ので、さらに引き抜くとやがて大径のソケット２１の底に当たることになる。要するに、引抜可能な最大のストロークが小さいので厚い木材には適用できない。
【００３９】
しかしながら、本発明の引抜用長ナット７（長さＬ２）では、軸方向の長さが長いので、図６（ｂ）に示すように、さらに大径のソケット２１の底までの距離を長く（Ｓ２）でき、引抜可能な最大のストロークを拡大することができ、厚い木材にも適用可能となる。なお、図６（ａ）、（ｂ）では、駆動用ねじ部１４に大きな径のねじ頭がない構成とし模式的な説明図とした。
【００４０】
ところで、複合型木ねじプローブ６をその軸心を中心に回転させるためには、そのねじ頭２２に、図２（ａ）に示すように手動ドライバ１９の先端部に取り付けた小径のソケット２０を係合し、又は図２（ｂ）に示すように電動ドライバ１８の先端部に取り付けた小径のソケット２１’（図３（ａ）に示す大径のソケット２１より小径のソケット）を係合して回転すればよい。複合型木ねじプローブ６の駆動用ねじ部１４は、手動ドライバ１９の先端部に取り付ける係合具（例.小径のソケット２０）又は電動ドライバ１８の先端部に取り付ける係合具（例.小径のソケット２１’）の形状に応じて、異なる形状のねじ頭２２を備えている。
【００４１】
ねじ頭２２の構造の異なる４つの構成例について、図５（ａ）に示す。駆動用ねじ部１４のねじ頭２２のドライバとの係合部として、図５（ａ）の平面図に示すように、マイナス溝、プラス溝、レンチ用の四角状の突起、六角状突起などがある。六角状突起のねじ頭２２は、駆動用ねじ部１４の上端の小径ねじ部に装着及び分離可能なナット状の構成としている。複合型木ねじプローブ６は、手動ドライバ１９の先端部の小径のソケット２０又は電動ドライバ１８の先端部に取り付けられた小径のソケット２１’（図２（ｂ）参照）と係合して駆動され、その軸心を中心に回転する。
【００４２】
なお、これらの異なる形状の係合部を付加するためのキャップを駆動用ねじ部１４の頭部に装着する構成としてもよい。このような構成とすれば、複合型木ねじプローブ６全体を、手動ドライバ１９の先端部の係合具（例．小径のソケット２０）又は電動ドライバ１８の先端部の係合具（例．小径のソケット２１’）に応じてねじ頭の構造の異なる構造のものに付け替えすることなく、木ねじ部１５（プローブ）の木材９へのねじ込みと引き抜き作業を実施できる。
【００４３】
ねじ込み深さ指示板８は、図５（ｂ）、（ｃ）に示すように、駆動用ねじ部１４に装着された上下２枚のナット２３の間に挟持されている。ねじ込み深さ指示板８は、駆動用ねじ部１４に対して螺合されておらず遊嵌されているので、駆動用ねじ部１４に対して相対的に回転自由であり、複合型木ねじプローブ６及び上下２枚のナット２３とともに、上下に移動する。
【００４４】
複合型木ねじプローブ６の木ねじ部１５を木材９にねじ込んだ際に、ねじ込み開始後は、複合型木ねじプローブ６の先端位置は、外部から確認できない。しかし、ねじ込み深さ指示板８が指示する目盛１３の位置が、複合型木ねじプローブ６先端のねじ込み深さ位置を示している。これにより、使用者は、ねじ込み位置の調整を簡単に行うことができる。
【００４５】
（作用）
本発明に係る上記実施例の携行型引抜試験器１の作用について、木材の引き抜き抵抗（引き抜き強度）の測定の手順に沿って、以下順次説明する。
【００４６】
（１）携行型引抜試験器のセット                                 
測定対象物である木材９の表面に先穴２４を形成し、木材９上に携行型引抜試験器１を当接（図１では載置して当接）して、複合型木ねじプローブ６の先端の木ねじ部１５を先穴２４内に挿入することで、携行型引抜試験器１をセットする（図１参照）。
【００４７】
（２）木ねじ部のねじ込み操作
携行型引抜試験器１に複合型木ねじプローブ６を取り付けたまま、手動ドライバ１９で小径のソケット２０を右回転させて、複合型木ねじプローブ６をねじ込む。この時、ねじ込み深さ指示板８の示す位置を参考にして、所定のねじ込み深さを調整する（図２（ａ）参照）。なお、図２（ｂ）に示すように、先端部に小径のソケット２１’を取り付けた電動ドライバ１８で、複合型木ねじプローブ６を先穴２４内にねじ込むようにしてもよい。
【００４８】
（３）所定のねじ込み深さでの引抜試験
上記のとおり複合型木ねじプローブ６を先穴２４内に所定のねじ込み深さまでねじ込んだ状態で、手動ドライバ１９又は先端部に小径のソケット２１’を取り付けた電動ドライバ１８を、先端部に大径のソケット２１を取り付けた電動ドライバ１８に交換して引抜用長ナット７に係合し、図３（ａ）に示すように、定速で引抜用長ナット７を右回転させる。すると、引抜用長ナット７は、スラストベアリング５及びロードセル３を介して台座２によってその軸方向の移動が規制されているから、複合型木ねじプローブ６全体を、測定対象物の木材９から引き抜き方向の直線的に移動させる。
【００４９】
この際に、複合型木ねじプローブ６の木ねじ部１５と木材９との間の摩擦力等により引き抜き抵抗が生じる。この引き抜き抵抗に応じて、回転する引抜用長ナット７がロードセル３に作用する軸方向の荷重が変化する。本発明の携行型引抜試験器１の特徴は、引抜用長ナット７がロードセル３に作用する軸方向の荷重を測定することで、引き抜き抵抗を測定可能とする構成にある。ロードセル３に作用した荷重は、アンプ表示計４でモニタされ、その最大値が測定されたら、電動ドライバ１８ーの回転を止める。
【００５０】
（４）別の所定のねじ込み深さでの引抜試験
次に、電動ドライバ１８又は手によってさらに引抜用長ナット７を、図３（ｂ）に示すように左（逆）回転し、引抜用長ナット７を図１とほぼ同様の上方の位置に戻す。そして、大径のソケット１９を付けた電動ドライバ１８から、小径のソケット２０を取り付けた手動ドライバ１９又は小径のソケット２１’を取り付けた電動ドライバ１８に取り替える。
【００５１】
そして、上記（２）と同様の操作により、手動ドライバ１９又は小径のソケット２１’を取り付けた電動ドライバ１８を右回転させて、複合型木ねじプローブ６をねじ込み、ねじ込み深さ指示板８の示す位置を参考にして、別の所定のねじ込み深さに調整する。そして、大径のソケット１９を取り付けた電動ドライバ１８によって、上記（３）と同様な操作により、引き抜き抵抗の最大値を測定する。
【００５２】
同様にして、複数のねじ込み深さにおける引抜試験を繰り返して、複数のねじ込み深さにおける測定対象物である木材９からの木ねじ部１５の引き抜き抵抗の最大値を測定する。このように、引き抜き抵抗の最大値を測定することで、木材の一直線上の各部位における引き抜き強度の分布を測定することができ、この分布状態から木材の劣化の度合いが把握可能となる（図８（ｂ）参照）。
【００５３】
（変形例）
図４（ｂ）は、本発明の携行型引抜試験器１の実施例の変形例の要部を示す図である。この変形例は、上記実施例の携行型引抜試験器１を、その木ねじ部１５に、木ねじ引き抜き用のアダプタ２５を装着することで、木材９の劣化度合いを検査に加えて、家屋の一部である木材９にすでに固定されている状態の木ネジ２６（例えば、手すり等を家屋一部の木材に固定している木ねじ）の固定強度を検査する試験器としても活用できるようにした構成である。
【００５４】
アダプタ２５は、全体的に略筒体として形成され、図４（ｃ）に示すように、取り付け用ねじ部３０と、木ねじ２６の皿状の頭２７に係合する平面視でＵ字型の係合部２８と、を備えている。取り付け用ねじ部３０は、複合型木ねじプローブ６の木ねじ部１５に螺着してアダプタ２５を取り付ける部分である。Ｕ字型の係合部２８は、固定強度の検査対象である木ねじ２６を引き抜くため木ねじ２６の頭２７に係合する部分であり、係合部２８の係合面２９は木ねじ２６の皿状の頭２７に沿うように皿状に形成されている。
【００５５】
アダプタ２５の係合部２８の係合面２９をこのような構成とすることにより、木ねじ２６の引き抜きの際にアダプタ２５の中心と木ねじ２６の頭２７のそれぞれの軸心が互いにずれる（偏心する）ことがなく、ほぼ一致していので、ずれることによる引抜試験への悪影響がなく、引抜試験の精度を向上することが可能となるという多大の効果を有する。
【００５６】
即ち、木ねじ２６の頭２７にアダプタ２５を介して引き抜き力を加えるに従い、係合面２９の効果により木ねじ２６とアダプター２５の軸心が徐々に一致する。軸心が一致しない場合は、引き抜き力の増加に従い、木ねじ２６の頭２７がアダプター２５の側面の穴２８からすべり出る。また、軸心が一致しない場合に測定された引き抜き力は、木ねじ２６に偏心力が加わっており、正しい引き抜き力ではないので正確な測定ができない。
【００５７】
変形例の携行型引抜試験器１の使用に際しては、家屋等の木材９にねじ込まれている木ねじ２６の頭に、アダプタ２５の係合部２８を引っかけるようにして係合し、電動ドライバ１８で引抜用長ナット７を右回転する。すると、複合型木ねじプローブ６全体を木ねじ２６を木材９から抜き取る方向に移動させるが、その際に、引抜用長ナット７がロードセル３に作用する荷重を測定する。
【００５８】
この荷重が小さいと、木材９から木ねじ２６を抜き取る際の抜き取り抵抗が小さいので、木ねじ２６の木材９への固定強度が小さく、荷重が大きいと抜き取り抵抗が大きく、固定強度が大きいことが検査できる。
【００５９】
以上、本発明に係る携行型引抜試験器を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６０】
本発明に係る携行型引抜試験器は上記のような構成であるから、木造家屋の構造部材、その他の部材として使用されている木材の劣化度合いのチェックに利用可能であり、また建築物の各構成に使用されている樹脂材や木材以外の部材の劣化度合いのチェックにも利用可能である。
【符号の説明】
【００６１】
１  携行型引抜試験器                           
２  台座                                       
３  ロードセル                                 
４  アンプ表示計                               
５  スラストベアリング                         
６  複合型木ねじプローブ                       
７  引抜用長ナット                             
８  ねじ込み深さ指示板                         
９  木材                                       
１０  脚部                                     
１１  頭部                                     
１２  挿通孔                                   
１３  目盛                                     
１４  複合型木ねじプローブの駆動用ねじ部       
１５  複合型木ねじプローブの木ねじ部           
１６  複合型木ねじプローブの軸部               
１７  引抜用長ナットのねじ孔                   
１８  電動ドライバ                             
１９  手動ドライバ             
２０  手動ドライバの先端部に取り付けた小径のソケット             
２１  電動ドライバの先端部に取り付けた大径のソケット
２１’  電動ドライバの先端部に取り付けた小径のソケット                  
２２  駆動用ねじ部のねじ頭                     
２３  ねじ込み深さ指示板のナット               
２４  先穴                                     
２５  木ねじ引き抜き用のアダプタ               
２６  木ネジ                                   
２７  木ネジの頭                               
２８  Ｕ字型の係合部                           
２９  係合部の係合面                           
３０   取り付けようねじ部
３１   木材等
３２  先穴
３３  木ねじ状のプローブ 
【図１】
2010160077.tif 000003
【図２】
2010160077.tif 000004
【図３】
2010160077.tif 000005
【図４】
2010160077.tif 000006
【図５】
2010160077.tif 000007
【図６】
2010160077.tif 000008
【図７】
2010160077.tif 000009
【図８】
2010160077.tif 000010